(57)【要約】【課題】洗濯機が高度洗濯に対するユーザのニーズを満たすとともに、洗濯機のコスト及びエネルギー消費を節約することを目的とする。【解決手段】蒸気洗濯方法は、洗濯機の初期洗濯プログラムを受信するステップ（Ｓ１１０）と、蒸気洗濯の指令を受信したかどうかを判断するステップ（Ｓ１２０）と、蒸気洗濯の指令を受信しない場合、初期洗濯プログラムに従って対応する初期洗濯操作を実行し、蒸気洗濯の指令を受信した場合、初期洗濯プログラムに基づいて、少なくとも１つの蒸気洗濯プログラムを設定するステップ（Ｓ１３０）と、を含み、洗濯機は、蒸気洗濯プログラムに従って対応する蒸気洗濯操作を実行することができる。
2020520750.tif 000002
【特許請求の範囲】
【請求項１】
洗濯機の蒸気洗濯方法であって、
前記洗濯機の初期洗濯プログラムを受信するステップと、
蒸気洗濯の指令を受信したかどうかを判断するステップと、
前記蒸気洗濯の指令を受信しない場合、前記初期洗濯プログラムに従って対応する初期洗濯操作を実行するステップと、
前記蒸気洗濯の指令を受信した場合、前記初期洗濯プログラムに基づいて、少なくとも１つの蒸気洗濯プログラムを設定するステップと、を含み、
前記洗濯機は、前記蒸気洗濯プログラムに従って対応する蒸気洗濯操作を実行することができることを特徴とする洗濯機の蒸気洗濯方法。
【請求項２】
少なくとも１つの前記蒸気洗濯プログラムは、前記初期洗濯操作の前に、前記蒸気洗濯プログラムに従って１回目の前記蒸気洗濯操作を実行するステップを含むことを特徴とする請求項１に記載の蒸気洗濯方法。
【請求項３】
「前記蒸気洗濯プログラムに従って１回目の前記蒸気洗濯操作を実行する」ステップは、具体的には、
前記洗濯機内に第１の設定量の洗濯水を注入するステップと、
前記第１の設定量の前記洗濯水を第１の設定温度に加熱して、前記洗濯水を蒸気にするステップと、
前記洗濯機に第１の所定時間で前記蒸気洗濯を実行させるステップと、を含むことを特徴とする請求項２に記載の蒸気洗濯方法。
【請求項４】
１回目の前記蒸気洗濯操作を実行した後、前記初期洗濯操作を実行するステップをさらに含むことを特徴とする請求項２に記載の蒸気洗濯方法。
【請求項５】
少なくとも１つの前記蒸気洗濯プログラムは、前記初期洗濯操作の後、前記蒸気洗濯プログラムに従って２回目の前記蒸気洗濯操作を実行するステップをさらに含むことを特徴とする請求項４に記載の蒸気洗濯方法。
【請求項６】
「前記蒸気洗濯プログラムに従って２回目の前記蒸気洗濯操作を実行する」ステップは、具体的には、
前記初期洗濯操作の時間が２回目の前記蒸気洗濯操作を実行する要件を満たすかどうかを判断するステップと、
前記初期洗濯操作の時間が２回目の前記蒸気洗濯操作を実行する要件を満たす場合に、前記蒸気洗濯プログラムに従って２回目の前記蒸気洗濯操作を実行するステップと、を含むことを特徴とする請求項５に記載の蒸気洗濯方法。
【請求項７】
「前記初期洗濯操作の時間が２回目の前記蒸気洗濯操作を実行する要件を満たすかどうかを判断する」ステップは、具体的には、
前記初期洗濯操作の時間が設定された閾値よりも大きいかどうかを判断するステップを含み、
前記初期洗濯操作の時間が設定された前記閾値よりも大きい場合に、前記初期洗濯操作の時間が２回目の前記蒸気洗濯操作を実行する要件を満たすことを特徴とする請求項６に記載の蒸気洗濯方法。
【請求項８】
「前記蒸気洗濯プログラムに従って２回目の前記蒸気洗濯操作を実行する」ステップは、具体的には、
前記洗濯機内の洗濯水を第２の設定量にするステップと、
前記第２の設定量の前記洗濯水を第２の設定温度に加熱して、前記洗濯水を蒸気にするステップと、
前記洗濯機に第２の所定時間で前記蒸気洗濯を実行させるステップと、を含むことを特徴とする請求項６に記載の蒸気洗濯方法。
【請求項９】
「前記洗濯機は、前記蒸気洗濯プログラムに従って対応する蒸気洗濯操作を実行することができる」は、具体的には、
前記洗濯機は、前記蒸気洗濯プログラムによって設定された回転速度及び回転停止比に従って前記蒸気洗濯操作を動作することができることを特徴とする請求項１に記載の蒸気洗濯方法。
【請求項１０】
洗濯水を加熱可能な加熱部を備える洗濯機であって、
請求項１から請求項９のいずれか１項に記載の蒸気洗濯方法を実行するための制御ユニットをさらに備える、ことを特徴とする洗濯機。
【発明の詳細な説明】
【技術分野】
【０００１】
本発明は、洗濯機の技術分野に属し、具体的には、洗濯機及びその蒸気洗濯方法に関する。
【背景技術】
【０００２】
人々の生活条件の改善に伴って、加熱機能を有する洗濯機は人々の生活において普及されている。現在、加熱機能を有する洗濯機は、一般的に、ヒーターを利用して洗濯ドラム内の洗濯水の加熱を実現し、洗濯水を設定プログラムに必要な温度にする。洗濯水を加熱することにより活性酵素の活性を十分に活性化できるだけでなく、高温殺菌の作用を奏することもできる。
【０００３】
エネルギーや電力を節約し衣類を高度洗濯するという洗濯機に対するユーザのニーズがますます高くなっている。これに伴って、一部の洗濯機は、ユーザのエネルギーや電力を節約する目的を満たすために、洗濯時間を短縮し、洗濯要件を低減させる。このような方式は、電気エネルギーを節約するが、高度洗濯の目的を達成できない。また、蒸気洗濯機能を増加することにより高度洗濯の目的を向上させる洗濯機もある。しかしながら、現在の洗濯機の蒸気洗濯は、すべて、洗濯機に配置された蒸気発生装置を用いて加熱して蒸気を発生させ、すなわち、ユーザは蒸気洗濯を選択すると、蒸気発生装置をトリガーして加熱し蒸気を作り、次に正常な洗濯、水洗及び脱水プロセスを行う。独立した蒸気発生装置を配置する必要があるため、コストを増加すると同時に、洗濯機のエネルギー消費量も増える。
【０００４】
洗濯機の加熱及び蒸気洗濯の２重機能を満たすために、さらに、洗濯機の蒸気発生装置とヒーターを１つの装置に組み合わせることもできる。たとえば、特許文献１に開示されている洗濯機の加熱装置であり、該加熱装置は、洗濯ドラム内の洗濯水を加熱する目的を実現することができ、且つ該加熱装置は、ハウジング内に１つのチャンバを設置することにより、チャンバ内の水を、蒸気を作る状態に加熱し、次に蒸気を出口から洗濯ドラム内に噴霧させる。該加熱装置は、本質的に、別々に配置された１つの蒸気発生装置を洗濯機のヒーター内に集積させることに相当し、従って、本質的に、蒸気発生装置が洗濯ドラム内に蒸気を噴霧する洗濯原理を利用する。
【先行技術文献】
【特許文献】
【０００５】
【特許文献１】中国特許出願公開第１０４７４６３１３号明細書
【発明の概要】
【発明が解決しようとする課題】
【０００６】
これに基づいて、本分野は、上記問題を解決するための新しい方法を要する。
【課題を解決するための手段】
【０００７】
先行技術における上記問題を解決するために、すなわち、洗濯機が高度洗濯に対するユーザのニーズを満たすとともに、省エネルギーとコスト削減の目的を実現するために、本発明は、洗濯機の蒸気洗濯方法を提供する。本発明の蒸気洗濯方法は、洗濯機の初期洗濯プログラムを受信するステップと、蒸気洗濯の指令を受信したかどうかを判断するステップと、蒸気洗濯の指令を受信していない場合、前記初期洗濯プログラムに従って対応する初期洗濯操作を実行し、蒸気洗濯の指令を受信した場合、前記初期洗濯プログラムに基づいて、少なくとも１つの蒸気洗濯プログラムを設定するステップと、を含み、前記洗濯機は、前記蒸気洗濯プログラムに従って対応する蒸気洗濯操作を実行することができる。
【０００８】
上記蒸気洗濯方法の好ましい実施形態では、前記少なくとも１つの蒸気洗濯プログラムは、前記初期洗濯操作の前に、前記蒸気洗濯プログラムに従って１回目の蒸気洗濯操作を実行するステップを含む。
【０００９】
上記蒸気洗濯方法の好ましい実施形態では、「前記蒸気洗濯プログラムに従って１回目の蒸気洗濯操作を実行する」ステップは、具体的には、洗濯機内に第１の設定量の洗濯水を注入するステップと、前記第１の設定量の洗濯水を第１の設定温度に加熱して、洗濯水を蒸気にするステップと、洗濯機に第１の所定時間で蒸気洗濯を実行させるステップと、を含む。
【００１０】
上記蒸気洗濯方法の好ましい実施形態では、前記蒸気洗濯方法は、１回目の蒸気洗濯操作を実行した後、前記初期洗濯操作を実行するステップをさらに含む。
【００１１】
上記蒸気洗濯方法の好ましい実施形態では、前記少なくとも１つの蒸気洗濯プログラムは、前記初期洗濯操作の後、前記蒸気洗濯プログラムに従って２回目の蒸気洗濯操作を実行するステップをさらに含む。
【００１２】
上記蒸気洗濯方法の好ましい実施形態では、「前記蒸気洗濯プログラムに従って２回目の蒸気洗濯操作を実行する」ステップは、具体的には、前記初期洗濯操作の時間が２回目の蒸気洗濯操作を実行する要件を満たすかどうかを判断するステップと、前記初期洗濯操作の時間が２回目の蒸気洗濯操作を実行する要件を満たす場合、前記蒸気洗濯プログラムに従って２回目の蒸気洗濯操作を実行するステップと、を含む。
【００１３】
上記蒸気洗濯方法の好ましい実施形態では、「前記初期洗濯操作の時間が２回目の蒸気洗濯操作を実行する要件を満たすかどうかを判断する」ステップは、具体的には、前記初期洗濯操作の時間が設定された閾値よりも大きいかどうかを判断するステップと、前記初期洗濯操作の時間が設定された閾値よりも大きい場合に、前記初期洗濯操作の時間が２回目の蒸気洗濯操作を実行する要件を満たすステップと、を含む。
【００１４】
上記蒸気洗濯方法の好ましい実施形態では、「前記蒸気洗濯プログラムに従って２回目の蒸気洗濯操作を実行する」ステップは、具体的には、洗濯機内の洗濯水を第２の設定量にするステップと、前記第２の設定量の洗濯水を第２の設定温度に加熱して、洗濯水を蒸気にするステップと、洗濯機に第２の所定時間で蒸気洗濯を実行させるステップと、を含む。
【００１５】
上記蒸気洗濯方法の好ましい実施形態では、「前記洗濯機は、前記蒸気洗濯プログラムに従って対応する蒸気洗濯操作を実行することができる」は、具体的には、前記洗濯機は、前記蒸気洗濯プログラムによって設定された回転速度及び回転停止比に従って蒸気洗濯操作を動作することができる。
【００１６】
本発明は、洗濯水を加熱可能な加熱部を備える洗濯機をさらに提供する。前記洗濯機は、上記蒸気洗濯方法を実行するための制御ユニットをさらに備える。
【発明の効果】
【００１７】
本発明の蒸気洗濯方法では、洗濯機の蒸気洗濯は、洗濯機のヒーターを利用して実現できる。また、蒸気洗濯のプログラムは、初期洗濯プログラムに従って設定されるものであるので、さまざまな衣類のさまざまな手入れのニーズを満たし、衣類に対する最も合理的かつ最高品質の手入れを実現することができる。具体的には、蒸気洗濯プロセスでは、ヒーターが洗濯水の加熱中にできるだけ少量のエネルギー消費で洗濯水を蒸気にするために、まず、少量の洗濯水を注入する。その後、初期洗濯プログラムに入り、初期洗濯操作が実行された後、衣類に必要な洗濯の標準に達した場合、方法は、直接終了する。そうでなければ、２回目の蒸気洗濯操作を実行する要件を満たしたときにのみ、２回目の蒸気洗濯操作を行う。上記技術案を採用した場合、本発明の方法は、毎回最小量の水を加熱して蒸気を発生させた後、洗濯効果に応じて再び加熱と蒸気発生を行うかどうかを判断し、それにより、衣類が大量の蒸気を必要としない場合に大規模な水加熱と蒸気発生を行うことを回避し、したがって、電気エネルギーを最大限に節約することができる。
【図面の簡単な説明】
【００１８】
【図１】本発明の洗濯機に係る蒸気洗濯方法を示す概略フローチャートである
【図２】本発明の洗濯機に係る蒸気洗濯方法の一特定実施形態を示す概略フローチャートである。
【発明を実施するための形態】
【００１９】
以下、図面を参照して、本発明の好ましい実施形態について説明する。当業者は、これらの実施形態が本発明の技術的原理を説明するために過ぎず、本発明の保護範囲を限定することを意図しないことを理解すべきである。
【００２０】
加熱機能（たとえば、ヒーターによる加熱）を有する洗濯機は、洗濯ドラム内の洗濯水に対する加熱機能を実現できる洗濯機であり、洗濯水を適切な温度又は設定された温度にすることができる。本発明は、蒸気洗濯を実現するための簡単かつ効果的な方法を提供することを目的とする。該方法は、加熱機能を有する洗濯機に適用でき、且つ該方法によれば、洗濯機の構造をほとんど変更せずに洗濯機の蒸気洗濯機能を実現できる。
【００２１】
なお、本発明の加熱機能を有するヒーターは、背景技術で述べた洗濯機の加熱装置とは、実質的に異なる。具体的には、本発明は、洗濯機の加熱機能を完全に保留するだけであり、ヒーターに蒸気発生装置又は蒸気発生装置機能と同等の構造を集積していない。その代わりに対応する制御策略が設定され、ユーザが制御策略のプログラムを設定することにより、洗濯機の加熱と蒸気洗濯の２重機能が実現される。以下、図１を参照して、本発明の蒸気洗濯方法を詳細に説明する。ヒーターは、電気ヒーター又は磁気ヒーターであってもよい。なお、ヒーターの使用に加えて、洗濯機は、加熱可能な他の任意の部材又はモジュールを配置することにより洗濯水の加熱機能を実現することができる。
【００２２】
図１は、本発明の洗濯機に係る蒸気洗濯方法の概略フローチャートを示す。図１に示すように、本発明の蒸気洗濯方法は、洗濯機の初期洗濯プログラムを受信するステップＳ１１０と、蒸気洗濯の指令を受信したかどうかを判断するステップＳ１２０と、蒸気洗濯の指令を受信しない場合、初期洗濯プログラムに従って対応する初期洗濯操作を実行し、蒸気洗濯の指令を受信した場合、初期洗濯プログラムに基づいて、少なくとも１つの蒸気洗濯プログラムを設定するステップＳ１３０と、を含む。洗濯機は、蒸気洗濯プログラムに従って対応する蒸気洗濯操作を実行することができる。
【００２３】
なお、初期洗濯プログラムは、一般的な洗濯プログラム（標準洗濯プログラムとも呼ばれる）であり、たとえば、水を十分に注入して衣類に対して洗濯、濯ぎ及び脱水を行う。好ましくは、ユーザは、洗濯機を起動した後、異なる衣類に対して異なる初期洗濯プログラムを設定できる。洗濯機は、供給された蒸気洗濯の指令に従って、衣類を蒸気で洗濯するフィードバックを起動することができる。たとえば、洗濯機の操作パネルには、蒸気洗濯の機能ボタンが設置される。初期洗濯プログラムが設定された後、ユーザが操作パネル上の蒸気洗濯機能ボタンを押さない場合、蒸気洗濯機能が選択されていないことを示す。この場合、洗濯機は、直接初期洗濯プログラムに従って洗濯する。ユーザが操作パネル上の蒸気洗濯機能ボタンを押した場合、蒸気洗濯機能が選択されたことを示し、この場合、初期洗濯プログラムを実行するに先立って、蒸気洗濯の指令に従って、対応する蒸気洗濯プログラムを実行する。たとえば、異なる初期洗濯プログラムに応じた蒸気洗濯プログラムを設定し、蒸気洗濯プログラムは、主に蒸気洗濯の実行パラメータや起動・停止時間などの決定に使用される。このようにして、蒸気洗濯のプロセスにおいて、異なる衣類に対して異なる手入れ方法を選択して、衣類に対して最も合理的かつ最高品質の手入れを行うことができる。蒸気洗濯のプロセスにおいて、洗濯機のヒーターを利用して洗濯ドラム内の洗濯水を加熱して蒸気を発生させるため、独立した蒸気発生装置が省略される。これに基づいて、本発明の蒸気洗濯方法のステップＳ１３０を以下に詳細に説明する。
【００２４】
ステップＳ１３０において、蒸気洗濯プログラムは、初期洗濯操作の前に、蒸気洗濯プログラムに従って１回目の蒸気洗濯操作を実行することを含む。具体的には、ユーザが蒸気洗濯機能を選択した場合、初期洗濯プログラムに基づいて実行される１回目の蒸気洗濯操作は、以下のとおりである。まず、洗濯機内に第１の設定量の洗濯水を注入し、次に、第１の設定量の洗濯水を第１の設定温度範囲に加熱して、洗濯水を蒸気にし、次に、洗濯機に第１の所定時間で蒸気洗濯を実行させる。蒸気洗濯の実行中、洗濯は、蒸気洗濯プログラムによって設定された回転速度及び回転停止比に従って実行される。第１の所定時間は、滅菌して汚れを完全に取り除くような蒸気洗濯の洗濯効果を確保するために、具体的な状況に応じて３〜５分間の任意の値に設定できる。もちろん、より良い洗濯効果を達成するために、１回目の蒸気洗濯操作を複数のサブ段階に分けることもでき、サブ段階ごとにパラメータが異なってもよい。サブ段階ごとに異なるパラメータを設定することにより、蒸気洗濯の洗濯効果をさらに高めることができる。
【００２５】
なお、上記「第１の設定量」の洗濯水は、洗濯機内に少量の水を注入することを意味し、たとえば、第１の設定量は、初期洗濯プログラムによる洗濯水の最大水位の１／５〜１／４の任意の値である。このようにして、ヒーターは、洗濯ドラム内の水をより容易に加熱して蒸気を発生させることができる。本実施例では、蒸気洗濯が選択された後、まず、第１の設定量の洗濯水を注入し、その後、蒸気を発生可能な温度まで加熱すればよい。このとき、洗濯ドラム内の水量が比較的少ないので、洗濯水を第１の設定温度（たとえば、約５０〜６０℃）に加熱すれば、蒸気を発生できる。このようにして、衣類に損傷を与えることなく、洗濯機の蒸気洗濯機能を実現できる。また、蒸気の発生による洗濯機のエネルギー消費も節約する。
【００２６】
ステップＳ１３０において、蒸気洗濯プログラムは、初期洗濯操作の後、蒸気洗濯プログラムに従って２回目の蒸気洗濯操作を実行することをさらに含む。具体的には、１回目の蒸気洗濯操作が実行された後、初期洗濯操作を実行し、初期洗濯操作が実行されると衣類に必要な洗濯の標準に達した場合、方法は直接終了する。そうでなければ、初期洗濯操作の時間が２回目の蒸気洗濯操作を実行する要件を満たすかどうかを判断し、２回目の蒸気洗濯操作を実行する要件が満たされたときにのみ、２回目の蒸気洗濯操作を行う。初期洗濯操作の時間が２回目の蒸気洗濯操作を実行する要件を満たすかどうかを判断することは、初期洗濯操作の時間が設定された閾値よりも大きい場合、衣類に必要な洗濯の標準に達していないことを示し、この場合、２回目の蒸気洗濯操作を実行する方式によって実施され得る。つまり、初期洗濯プログラムによる洗濯機の洗濯時間により、衣類が必要な洗濯の標準に達しているかどうかを判断し、さらに２回目の蒸気洗濯操作を実行する必要があるかどうかを判断することができる。この設定された閾値は、具体的な状況に応じて設定できる。
【００２７】
２回目の蒸気洗濯操作を実行するステップは、洗濯機内に洗濯水を注入して、洗濯機内の洗濯水を第２の設定量にし、その後、第２の設定量の洗濯水を第２の設定温度に加熱して、洗濯水を蒸気にし、次いで、洗濯機に第２の所定時間で蒸気洗濯を実行させることである。「第２の設定量」の洗濯水は、第１の洗濯量を基にして、洗濯機内に少量の水を再び注入して到達する水量を意味する。たとえば、第２の設定量の洗濯水は、初期洗濯プログラムに必要な水量の１／３〜１／２の任意の値であってもよい。このとき、洗濯ドラム内の水量がまだ少ないので、洗濯水を第２の設定温度（たとえば、約５０〜６０℃）に加熱すれば、蒸気を発生できる。第２の設定温度は、第１の設定温度と同じであってもよく、異なっていてもよい。
【００２８】
上記のように設定された蒸気洗濯プログラムでは、特定の種類の衣類は、通常特定の高温耐性材料を有し、且つ蒸気洗濯が必要とされる衣類である。また、初期洗濯プログラムの設定は、衣類の種類に応じて行われ、蒸気洗濯プログラムの設定は、初期洗濯プログラムに基づいて生成されるため、設定された蒸気洗濯プログラムは、さまざまな衣類に対して最も合理的かつ最高品質の手入れを行うことができる。本実施例では、具体的な衣類の種類については説明しない。
【００２９】
２回の蒸気発生後、洗濯機は、初期洗濯プログラムに入り、初期洗濯プログラムに従って後続の洗濯、濯ぎ及び脱水などの一連の洗濯段階を行い、最終的に衣類全体の洗濯プロセスを完了する。本実施例では、２回の蒸気洗濯プロセスにより、蒸気が段階的に衣類へ完全に浸透し、それにより滅菌して汚れを完全に取り除くことができる。当業者は、実際の状況に応じて３回以上の蒸気洗濯プロセスを設定してもよく、この場合は、より良い洗濯効果が得られた。
【００３０】
前記のとおり、上記技術案を採用する場合、本発明の方法は、毎回最小量の水を加熱して蒸気を発生させ、その後、洗濯効果に応じて水を再び加熱して蒸気を発生させることを行うかどうかを判断し、それにより、衣類が大量の蒸気を必要としない場合に大規模な水加熱と蒸気発生を行うことを回避し、したがって、電気エネルギーを最大限に節約することができる。
【００３１】
次に、図２を参照して、本発明の蒸気洗濯方法の特定実施例を説明する。
【００３２】
図２に示すように、まず、洗濯プログラムを選択し、蒸気洗濯機能が選択されたかどうかを判断する。蒸気洗濯機能が選択されない場合は、選択された標準洗濯プログラムに直接入る。蒸気洗濯機能が選択された場合は、洗濯ドラム内に注入した洗濯水がＡ水位に達した後、ヒーターで加熱し、且つ温度Ｘ（Ｘは、Ａ水位の洗濯水に蒸気を発生させることができる温度である）に加熱したかどうかを判断する。温度Ｘに加熱した場合は、設定された蒸気洗濯の回転速度及び回転停止比に従って洗濯する。温度Ｘに加熱していない場合は、温度Ｘに加熱されるまで加熱し続けた後、設定された蒸気洗濯の回転速度及び回転停止比に従って洗濯する。一定時間（たとえば、５分間）実行した後、選択された標準洗濯プログラムに設定された回転速度及び回転停止比に従って実行し、且つ実行時間Ｔ（たとえば、３〜５分間）が蒸気洗濯を再び行う要件を満たすかどうかを判断する。具体的には、標準洗濯プログラムは、関連するパラメータ状態（たとえば、洗濯水の清浄度）を測定することによって衣類に必要な洗濯の標準に達しているかどうかを判断し、衣類に必要な洗濯の標準に達した場合、方法は、直接終了する。実行時間Ｔが２回目の蒸気洗濯操作を実行する要件を満たす場合（すなわち、衣類に必要な洗濯の標準に達していない場合）、２回目の蒸気洗濯操作を行う。たとえば、洗濯水をＢ水位に注入し、且つ温度Ｙ（Ｙは、Ｂ水位の洗濯水に蒸気を発生させることができる温度である）に加熱したかどうかを判断する。温度Ｙに加熱していない場合は、時間Ｔが要件を満たすまで（すなわち、時間Ｔまで実行しても衣類がきれいに洗濯されていない）洗濯し続けた後、水をＢ水位に注入し、且つ温度Ｙに加熱したかどうかを判断する。温度Ｙに加熱した場合は、設定された蒸気洗濯の回転速度及び回転停止比に従って洗濯する。温度Ｙに加熱していない場合は、温度Ｙに加熱するまで加熱し続けた後、設定された蒸気洗濯の回転速度及び回転停止比に従って洗濯する。一定時間（たとえば、５分間）実行した後、選択された標準洗濯プログラムに入る必要がある場合は、選択された標準洗濯プログラムに従って、洗濯プロセス全体が完了するまで、後続の洗濯、濯ぎ及び脱水などの操作を行う。毎回最小量の水を加熱して蒸気を発生させた後、洗濯効果に応じて水を再び加熱して蒸気を発生させることを行うかどうかを判断し、それにより、衣類が大量の蒸気を必要としない場合に大規模な水加熱と蒸気発生を行うことを回避し、したがって、電気エネルギーを最大限に節約することができる。
【００３３】
また、本発明は、洗濯機をさらに提供し、該洗濯機は、洗濯水を加熱可能な加熱部、及び制御ユニットをさらに備える。制御ユニットは、上記実施例における蒸気洗濯方法を実行するために使用される。
【００３４】
なお、制御ユニットは、洗濯機の１つの機能モジュールとして設置されてもよいし、専用モジュールとして設置されてもよく、且つ、物理的な形として他の装置又は設備に集積してもよく、個別に設置されてもよい。これらの変更や調整は、すべて本発明の基本原理から逸脱するものではなく、このため、すべて本発明の保護範囲に含まれるべきである。
【００３５】
以上、図面に示されている好ましい実施形態を参照して、本発明の技術案を説明したが、当業者にとって明らかなように、本発明の保護範囲は、これらの特定実施形態に限定されるものではない。当業者は、本発明の原理から逸脱せずに、関連する技術的特徴に対して同等の変更又は置換を行うことができ、これらの変更又は置換による技術案は、すべて本発明の保護範囲に含まれるべきである。
【図１】
2020520750.tif 000003
【図２】
2020520750.tif 000004
【国際調査報告】
2020520750.tif 000005
2020520750.tif 000006
2020520750.tif 000007
2020520750.tif 000008
2020520750.tif 000009
2020520750.tif 000010